(57)【要約】【課題】内容物が手に付着することなく、容器本体に対する中栓の取り外し及び装着が容易に行える容器を提供する。【解決手段】軸Ｃ方向に延び軸周りに雄ねじ部３ａが形成された口部３を有し、内容物が充填された容器本体２と、口部に同軸で嵌合して装着される中栓６と、雄ねじと螺合する雌ねじ部を有し、容器本体に螺着したときに口部を密閉するキャップと、を備える。中栓は、口部の上端に係合するフランジ部３２を有する。フランジ部の径方向外側に延出し、軸を中心とする周方向に複数設けられた指掛け部１１、１２と、中栓に設けられ、口部と周方向に係合可能な第１係合部２０と、口部に設けられ、第１係合部と周方向に係合して中栓の周方向の位置を規制する第２係合部６０とを有する。第１係合部と第２係合部との少なくとも一方は、中栓の周方向の移動に伴って、中栓を軸方向への移動に向けて案内する案内部を有する。【選択図】図４
2019151365.tif 000002
【特許請求の範囲】
【請求項１】
軸方向に延び前記軸周りに雄ねじ部が形成された口部を有し、内容物が充填された容器本体と、
前記口部に同軸で嵌合して装着される中栓と、
前記雄ねじ部と螺合する雌ねじ部を有し、前記容器本体に螺着したときに前記口部を密閉するキャップと、を備え、
前記中栓は、前記口部の上端に係合するフランジ部を有し、
前記フランジ部の径方向外側に延出し、前記軸を中心とする周方向に複数設けられた指掛け部と、
前記中栓に設けられ、前記口部と前記周方向に係合可能な第１係合部と、
前記口部に設けられ、前記第１係合部と前記周方向に係合して前記中栓の前記周方向の位置を規制する第２係合部とを有し、
前記第１係合部と前記第２係合部との少なくとも一方は、前記中栓の前記周方向の移動に伴って、前記中栓を前記軸方向への移動に向けて案内する案内部を有することを特徴とする容器。
【請求項２】
前記中栓は、前記口部の内側に挿入される筒状部を有し、
前記第１係合部は、前記筒状部の外周面から前記径方向外側に突出する係合凸部の前記周方向両側の側面を含み、
前記第２係合部は、前記口部の内周面から前記径方向外側に窪む係合凹部の前記周方向両側の側面を含み、
前記案内部は、前記係合凹部の前記側面を含むことを特徴とする請求項１記載の容器。
【請求項３】
前記係合凸部は、前記軸を挟んだ前記径方向両側に配置された第１係合凸部と第２係合凸部とを含み、
前記係合凹部は、前記軸を挟んだ前記径方向両側に配置され前記第１係合凸部と係合する第１係合凹部と、前記第２係合凸部と係合する第２係合凹部とを含むことを特徴とする請求項２記載の容器。
【請求項４】
前記周方向に関して、前記第１係合凸部の最大長さは、前記第２係合凹部の最大長さよりも長いことを特徴とする請求項３記載の容器。
【請求項５】
前記第１係合凸部は、前記周方向両側の側面が、それぞれ下方に向かうに従って、第１変化率で前記周方向の中央に向かい、
前記第１係合凹部は、前記周方向両側の側面が、それぞれ下方に向かうに従って、第１変化率よりも小さな第２変化率で前記周方向の中央に向かい、
前記第２係合凸部は、前記周方向両側の側面が、それぞれ下方に向かうに従って、前記第１変化率で前記周方向の中央に向かい、
前記第２係合凹部は、前記周方向両側の側面が、それぞれ下方に向かうに従って、前記第２変化率で前記周方向の中央に向かうことを特徴とする請求項４記載の容器。
【請求項６】
前記第１係合凸部、前記第１係合凹部、前記第２係合凸部及び前記第２係合凹部の前記側面は、前記径方向視で曲率中心が上側に配置された円弧形状に形成されていることを特徴とする請求項５記載の容器。
【請求項７】
前記指掛け部は、前記中栓が前記口部に同軸で嵌合して装着されたときに前記雄ねじ部よりも前記上端側に形成されているとともに、前記雄ねじ部を前記軸周りに延長した延長領域の内部に配置されていることを特徴とする請求項１から６のいずれか一項に記載の容器。
【請求項８】
前記雄ねじ部及び前記雌ねじ部は、少なくとも前記複数の指掛け部の数の条数で形成されていることを特徴とする請求項７記載の容器。
【請求項９】
前記雄ねじ部及び前記雌ねじ部は、二条ねじであり、
前記指掛け部は、前記軸を挟んだ前記径方向両側に配置されていることを特徴とする請求項８記載の容器。
【発明の詳細な説明】
【技術分野】
【０００１】
本発明は、容器に関するものである。
【背景技術】
【０００２】
一般に、液体洗剤、液体漂白剤、液体柔軟剤、溶剤等の液状物や、粒状洗剤、粒状漂白剤、粒状調味料等の粉粒物を収納する容器では、ノズル部を有しボトル（容器本体）に装着される中栓と、ノズル部から注出される内容物を計量する計量筒部を有し、中栓または容器本体に着脱自在に装着されるキャップとを有するものがある。
【０００３】
内容物を注出するノズル部を有する容器では、詰め替え容器から容器本体内への内容物の補充はノズル部を介して行われており、補充の際の注ぎにくさが指摘されてきた。
【０００４】
特許文献１及び特許文献２には、ノズル状部材を中栓と別体に形成して、ノズル状部材を中栓周壁内へ着脱自在に嵌合させた容器が開示されている。特許文献１及び特許文献２に記載された容器では、内容物の補充時に、中栓からノズル状部材を取外して中栓の開口部を広くすることにより、パウチのノズルが差し込みやすくなって内容物がこぼれることを抑えることができるとともに、内容物の補充作業を容易にしている。
【先行技術文献】
【特許文献】
【０００５】
【特許文献１】特開２０１０−１２６２２５号公報
【特許文献２】特開２０００−１４２７６０号公報
【発明の概要】
【発明が解決しようとする課題】
【０００６】
しかしながら、上述した特許文献１及び特許文献２のような容器では、中栓からノズル状部材を取外す際に、内容物によって濡れているノズル状部材に直接触れなければならないため、内容物が手に付着してしまう虞がある。
また、ノズル状部材と中栓とが一体で形成されている容器の場合には、ノズル部の向きが注出に適する方向になるように容器本体に対してノズル部付き中栓を打栓により固定しているものが多い。そのため、内容物の補充時に容器本体からノズル部付き中栓を取り外し、さらに内容物の補充後に中栓を容器本体に装着するには、内容物によって濡れている中栓に触れる必要がある。また、中栓の取り外しは、打栓による嵌合力以上の引抜力を要する作業となるため容易に取り外すことが可能ではなかった。
【０００７】
本発明は、以上のような点を考慮してなされたもので、内容物が手に付着することなく、容器本体に対する中栓の取り外し及び装着が容易に行える容器を提供することを目的とする。
【課題を解決するための手段】
【０００８】
本発明の第１の態様に従えば、軸方向に延び前記軸周りに雄ねじ部が形成された口部を有し、内容物が充填された容器本体と、前記口部に同軸で嵌合して装着される中栓と、前記雄ねじ部と螺合する雌ねじ部を有し、前記容器本体に螺着したときに前記口部を密閉するキャップと、を備え、前記中栓は、前記口部の上端に係合するフランジ部を有し、前記フランジ部の径方向外側に延出し、前記軸を中心とする周方向に複数設けられた指掛け部と、前記中栓に設けられ、前記口部と前記周方向に係合可能な第１係合部と、前記口部に設けられ、前記第１係合部と前記周方向に係合して前記中栓の前記周方向の位置を規制する第２係合部とを有し、前記第１係合部と前記第２係合部との少なくとも一方は、前記中栓の前記周方向の移動に伴って、前記中栓を前記軸方向への移動に向けて案内する案内部を有することを特徴とする容器が提供される。
【０００９】
また、上記本発明の一態様に係る容器において、前記中栓は、前記口部の内側に挿入される筒状部を有し、前記第１係合部は、前記筒状部の外周面から前記径方向外側に突出する係合凸部の前記周方向両側の側面を含み、前記第２係合部は、前記口部の内周面から前記径方向外側に窪む係合凹部の前記周方向両側の側面を含むことを特徴とする。
【００１０】
また、上記本発明の一態様に係る容器において、前記係合凸部は、前記軸を挟んだ前記径方向両側に配置された第１係合凸部と第２係合凸部とを含み、前記係合凹部は、前記軸を挟んだ前記径方向両側に配置され前記第１係合凸部と係合する第１係合凹部と、前記第２係合凸部と係合する第２係合凹部とを含むことを特徴とする。
【００１１】
また、上記本発明の一態様に係る容器において、前記周方向に関して、前記第１係合凸部の最大長さは、前記第２係合凹部の最大長さよりも長いことを特徴とする。
【００１２】
また、上記本発明の一態様に係る容器において、前記第１係合凸部は、前記周方向両側の側面が、それぞれ下方に向かうに従って、第１変化率で前記周方向の中央に向かい、前記第１係合凹部は、前記周方向両側の側面が、それぞれ下方に向かうに従って、第１変化率よりも小さな第２変化率で前記周方向の中央に向かい、前記第２係合凸部は、前記周方向両側の側面が、それぞれ下方に向かうに従って、前記第１変化率で前記周方向の中央に向かい、前記第２係合凹部は、前記周方向両側の側面が、それぞれ下方に向かうに従って、前記第２変化率で前記周方向の中央に向かうことを特徴とする。
【００１３】
また、上記本発明の一態様に係る容器において、前記第１係合凸部、前記第１係合凹部、前記第２係合凸部及び前記第２係合凹部の前記側面は、前記径方向視で曲率中心が上側に配置された円弧形状に形成されていることを特徴とする。
【００１４】
また、上記本発明の一態様に係る容器において、前記指掛け部は、前記中栓が前記口部に同軸で嵌合して装着されたときに前記雄ねじ部よりも前記上端側に形成されているとともに、前記雄ねじ部を前記軸周りに延長した延長領域の内部に配置されていることを特徴とする。
【００１５】
また、上記本発明の一態様に係る容器において、前記雄ねじ部及び前記雌ねじ部は、少なくとも前記複数の指掛け部の数の条数で形成されていることを特徴とする。
【００１６】
また、上記本発明の一態様に係る容器において、前記雄ねじ部及び前記雌ねじ部は、二条ねじであり、前記指掛け部は、前記軸を挟んだ前記径方向両側に配置されていることを特徴とする。
【発明の効果】
【００１７】
本発明では、内容物が手に付着することなく、容器本体に対する中栓の取り外し及び装着が容易に行える容器を提供することが可能になる。
【図面の簡単な説明】
【００１８】
【図１】本実施形態に係る計量キャップ付き容器１の正立状態の頂部の縦断面図である。
【図２】中栓６の外観斜視図である。
【図３】中栓６の平面図である。
【図４】軸線Ｃを通るＹＺ平面と平行な面で容器本体２を切断した部分断面図である。
【図５】雄ねじ部３ａ及びフランジ部３２を軸線Ｃ周り（θＺ方向）に展開した図である。
【図６】中栓６を＋Ｙ側から視た正面図である。
【図７】中栓６を−Ｙ側から視た正面図である。
【図８】容器本体２の外観斜視図である。
【図９】軸線Ｃから＋Ｙ側の内周面３ｂを視た図である。
【図１０】軸線Ｃから−Ｙ側の内周面３ｂを視た図である。
【図１１】第１係合凸部２１が第１係合凹部６１に挿入された状態を径方向内側から視た図である。
【図１２】第２係合凸部２２が第２係合凹部６２に挿入された状態を径方向内側から視た図である。
【図１３】中栓６を容器本体２に脱着する手順を説明するための図である。
【図１４】中栓６を容器本体２に脱着する手順を説明するための図である。
【発明を実施するための形態】
【００１９】
以下、本発明の容器の実施の形態を、図１ないし図１４を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００２０】
図１は、計量キャップ付き容器（容器）１の正立状態の頂部の縦断面図である。計量キャップ付き容器１は、内容物を収容する容器本体２と、容器本体２における頂部に位置する口部３の外側（外周側）に着脱可能に装着される計量キャップ（キャップ）４と、口部３に装着される中栓６とを備えている。
【００２１】
容器本体２は、例えばポリエチレン等のオレフィン系合成樹脂を用いたブロー成型により一体形成されている。容器本体２は、内容物として、例えば、液体洗剤、液体漂白剤、液体柔軟剤、溶剤等の液状物や、粒状洗剤、粒状漂白剤、粒状調味料等の粉粒物を収容するための収容空間２ａを有している。容器本体２の口部３は、上下方向に延びる軸線（軸）Ｃを中心とする円筒状に形成されている。口部３は、収容空間２ａを上方に向けて開放している。口部３の外周には、軸線Ｃ周りに雄ねじ部３ａが形成されている。本実施形態における雄ねじ部３ａは、多条ねじ、具体的には２条ねじで形成されている（詳細は後述する）。
【００２２】
以下の説明では、軸線Ｃに沿った方向を中心軸方向、軸線Ｃに直交する方向を径方向、軸線Ｃを中心とする軸周り方向を周方向と適宜称する。また、中心軸方向における口部３の開放側を上側（上方）、口部３のボトル内方側を下側（下方）と適宜称する。また、中心軸方向をＺ方向とし、図１中、左右方向をＸ方向とし、Ｚ方向及びＸ方向と直交する方向（図１中、紙面と直交する方向）をＹ方向として適宜説明する。
【００２３】
計量キャップ４は、例えばポリプロピレン等のオレフィン系合成樹脂を用いた射出成型により形成されている。計量キャップ４は、有蓋円筒状の計量部４１と、計量部４１の軸線方向中間部の径方向外側に離間して設けられる円筒状の外筒部４２と、外筒部４２の上方側の端部から径方向内側に延びて計量部４１の外周面に接続されるフランジ部４３とを有している。
【００２４】
計量キャップ４は、透明又は半透明に構成されており、計量部４１の開口部を上方に向けた状態で注入した洗剤等の内容物と、計量部４１の外周面あるいは内周面に刻印又は印字等により記された計量目盛（図示せず）との相対位置を外方から視認可能である。計量部４１の上面は、ＸＹ平面と平行であり、計量部４１の開口部を上方に向けた状態で安定して載置することが可能である。
【００２５】
外筒部４２の内周面には、口部３の雄ねじ部３ａと螺合する雌ねじ部４２ａが形成されている。雌ねじ部４２ａは、多条ねじ、具体的には２条ねじで形成されている。
【００２６】
中栓６は、口部３に対して周方向に位置決めして装着されている。中栓６は、例えば、ポリプロピレン等のオレフィン系合成樹脂を用いた射出成型により形成されている。中栓６は、軸線Ｃに沿って延びる筒状部３１、筒状部３１の上方側の端部から径方向外側に張り出す環状のフランジ部３２、筒状部３１の底部に設けられた底壁部３３、及び底壁部３３から上方に突出するノズル部３４を備えている。
【００２７】
底壁部３３は、下方に凸の略Ｖ字状に形成されている。ノズル部３４は、Ｖ字状の底壁部３３の一方の傾斜面から上方に延びている。中栓６が周方向に関して、図１に示す所定位置（以下、基準位置と称する）に位置決めされたときに、ノズル部３４は、平面視で＋Ｘ側に開口するＵ字状の断面形状を有する樋状に形成されている（図３参照）。基準位置において、ノズル部３４は、軸線Ｃに対して−Ｘ側に偏って配置されている。断面Ｕ字状をなすノズル部３４の内部は、底壁部３３に形成された連通部３６によって、容器本体２の収容空間２ａと連通している。
【００２８】
筒状部３１は、嵌合部３７及び縮径部３８を有している。嵌合部３７は、筒状部３１における上方側に配置されている。嵌合部３７は、口部３の内周面３ｂと嵌合している。縮径部３８は、嵌合部３７の下側に配置されている。縮径部３８は、嵌合部３７の下端から下方に向かうに従って先細る。
【００２９】
フランジ部３２は、筒状部３１が口部３の内側に挿入されたときに、口部３の上端に上方から係合する。本実施形態のフランジ部３２の最大外径は、口部３の外径よりも大きく形成されている。
【００３０】
図２は、中栓６の外観斜視図である。図３は、中栓６の平面図である。
図２及び図３に示すように、フランジ部３２は、径方向外側に延出する複数（本実施形態では二つ）の指掛け部１１、１２を有している。指掛け部１１、１２は、軸線Ｃを挟んだ径方向両側に配置されている。本実施形態では、指掛け部１１は、Ｙ軸上でＸ軸から９０°の位置に配置されている。指掛け部１２は、Ｘ軸から−９０°の位置に配置されている。
【００３１】
指掛け部１１、１２は、フランジ部３２の外周面から略同一の突出量で突出している。各指掛け部１１、１２は、Ｚ方向視において周方向中央部が最大突出部で、当該最大突出部の周方向両側は当該最大突出部を通りフランジ部３２の外周面に接する円弧状の曲面に形成されている。当該曲面の曲率中心は、フランジ部３２の外周面よりも径方向外側に配置されている。従って、指掛け部１１、１２を構成する曲面は、径方向で最大突出部に向かうに従って、接線とＹ軸との交差角度のうち、小さい方の交差角度が漸次小さくなる。
【００３２】
すなわち、指掛け部１１、１２は、各指掛け部１１、１２に手指を掛けて周方向に力を付与した際に、力が掛かる方向に対する接線の交差角度が最大突出部において最も９０°（直角）に近くなる。そのため、各指掛け部１１、１２を介して周方向に加えた力（偶力）を効果的に中栓６に伝達させやすくなる。
【００３３】
指掛け部１１、１２の周方向の長さは、略同一である。図４は、軸線Ｃを通るＹＺ平面と平行な面で容器本体２を切断した部分断面図である。図４においては、中栓６を二点鎖線で示している。なお、指掛け部１１は、指掛け部１２に対して配置される位置のみが異なるため、以下では、指掛け部１２を代表的に説明する場合がある。
【００３４】
図４に示すように、指掛け部１２は、雄ねじ部３ａよりも上側に配置されている。指掛け部１２は、口部３の外周面よりも径方向外側に突出している。指掛け部１２が径方向外側に延出する長さは、雄ねじ部３ａにおける径方向で最も外側の位置を越えない範囲で形成されている。より詳細には、指掛け部１２は、計量キャップ４の雌ねじ部４２ａと容器本体３の雄ねじ部３ａとの螺合を阻害しない範囲に形成されている。具体的には、指掛け部１２は、雄ねじ部３ａを軸線Ｃ周りに延長した延長領域の内部に配置されている。
【００３５】
図５は、雄ねじ部３ａ及びフランジ部３２を軸線Ｃ周り（θＺ方向）に展開した図である。図５における横軸は、Ｘ軸を０°として表示されている。
図５に示すように、雄ねじ部３ａは、第１雄ねじ５１と第２雄ねじ５２とを有する２条ねじである。第１雄ねじ５１と第２雄ねじ５２とは、位相が１８０°ずれて配置されている。
【００３６】
第１雄ねじ５１を＋Ｚ側に延長した延長領域５１ａとフランジ部３２とが交差する位置に指掛け部１１が配置されている。指掛け部１１は、延長領域５１ａの内部に配置されている。内部に配置されているとは、延長領域５１ａを超えた領域にはなく、延長領域５１ａの境界と接する場合も含まれる。指掛け部１１は、周方向に沿って配置されている。
【００３７】
第２雄ねじ５２を＋Ｚ側に延長した延長領域５２ａとフランジ部３２とが交差する位置に指掛け部１２が配置されている。指掛け部１２は、延長領域５２ａの内部に配置されている。内部に配置されているとは、延長領域５２ａを超えた領域にはなく、延長領域５２ａの境界と接する場合も含まれる。指掛け部１２は、周方向に沿って配置されている。
【００３８】
指掛け部１１が延長領域５１ａの内部に配置され、指掛け部１２が延長領域５２ａの内部に配置されていることにより、指掛け部１１、１２は、計量キャップ４の雌ねじ部４２ａとの螺合に関して、第１雄ねじ５１及び第２雄ねじ５２の一部として機能する。
【００３９】
図２に戻り、中栓６と口部３とは、中栓６に設けられた第１係合部２０と口部３に設けられた第２係合部６０とが周方向に係合することにより、中栓６は周方向の位置が規制される。第１係合部２０は、筒状部３１に径方向外側に突出して設けられた係合凸部である。第１係合部２０は、第１係合凸部２１と第２係合凸部２２とから構成されている。
【００４０】
第１係合凸部２１と第２係合凸部２２とは、図３に示すように、軸線Ｃを挟んで逆側に配置されている。本実施形態では、第１係合凸部２１は、＋Ｙ側の位置でＸ軸から９０°の位置に配置されている。第２係合凸部２２は、−Ｙ側の位置でＸ軸から−９０°の位置に配置されている。
【００４１】
図６は、中栓６を＋Ｙ側から視た正面図である。図７は、中栓６を−Ｙ側から視た正面図である。
図６に示すように、第１係合凸部２１は、筒状部３１における嵌合部３７の下端から−Ｚ側に延びている。第１係合凸部２１の外径は、嵌合部３７の外径と同径である。第１係合凸部２１の周方向の両側の側面２１ａは、曲率中心が上側に配置され、それぞれ下方に向かうに従って第１係合凸部２１の周方向中央に向かう円弧形状に形成されている。両側の側面２１ａの下端同士は、水平面と平行な平面２１ｂで接続されている。
【００４２】
図７に示すように、第２係合凸部２２は、筒状部３１における嵌合部３７の下端から−Ｚ側に延びている。第２係合凸部２２の外径は、嵌合部３７の外径と同径である。第２係合凸部２２の周方向の両側の側面２２ａは、曲率中心が上側に配置され、それぞれ下方に向かうに従って第２係合凸部２２の周方向中央に向かう円弧形状に形成されている。第１係合凸部２１の下端と、第２係合凸部２２の下端とは、Ｚ方向の位置が同一である。第１係合凸部２１の側面２１ａの大きさ及び第２係合凸部２２の側面２２ａの大きさについては、後述する。
【００４３】
図８は、容器本体２の外観斜視図である。
図４及び図８に示されるように、第２係合部６０は、口部３の内周面３ｂから径方向外側に窪んで形成された係合凹部である。第２係合部６０は、第１係合凹部６１と第２係合凹部６２とから構成されている。
【００４４】
第１係合凹部６１と第２係合凹部６２とは、軸線Ｃを挟んで逆側に配置されている。本実施形態では、第１係合凹部６１は、＋Ｙ側の位置でＸ軸から９０°の位置に配置されている。第２係合凹部６２は、−Ｙ側の位置でＸ軸から−９０°の位置に配置されている。すなわち、周方向において、第１係合凹部６１は指掛け部１１と同一位置に配置され、第２係合凹部６２は指掛け部１２と同一位置に配置されている。
【００４５】
第１係合凹部６１は、中栓６が基準位置にあるときに、第１係合凸部２１と径方向に対向して配置されている。第１係合凹部６１の径方向外側の面は、図４に二点鎖線で示す第１係合凸部２１の径方向外側の面に対して、径方向において同一または径方向外側の位置に配置されている。図９は、軸線Ｃから＋Ｙ側の内周面３ｂを視た図である。第１係合凹部６１は、上側が開口している。第１係合凹部６１の周方向の両側の側面（案内部）６１ａは、曲率中心が上側に配置され、それぞれ下方に向かうに従って第１係合凹部６１の周方向中央に向かう円弧形状に形成されている。両側の側面６１ａの下端同士は、水平面と平行な平面６１ｂで接続されている。中栓６の第１係合凸部２１は、上方から第１係合凹部６１に挿入され周方向に係合することにより口部３に対して周方向の位置が規制される。
【００４６】
第２係合凹部６２は、中栓６が基準位置にあるときに、第２係合凸部２２と径方向に対向して配置されている。第２係合凹部６２の径方向外側の面は、図４に二点鎖線で示す第２係合凸部２２の径方向外側の面に対して、径方向において同一または径方向外側の位置に配置されている。図１０は、軸線Ｃから−Ｙ側の内周面３ｂを視た図である。第２係合凹部６２は、上側が開口している。第２係合凹部６２の周方向の両側の側面（案内部）６２ａは、曲率中心が上側に配置され、それぞれ下方に向かうに従って第２係合凹部６２の周方向中央に向かう円弧形状に形成されている。第１係合凹部６１の下端と、第２係合凹部６２の下端とは、Ｚ方向の位置が同一である。中栓６の第２係合凸部２２は、上方から第２係合凹部６２に挿入され周方向に係合することにより口部３に対して周方向の位置が規制される。
【００４７】
図１１は、第１係合凸部２１が第１係合凹部６１に挿入された状態を径方向内側から視た図である。図１１に示されるように、第１係合凸部２１の−Ｚ側への最大突出量ｈ１は、第１係合凹部６１のＺ方向の最大窪み量Ｄ１と略同一である。第１係合凸部２１の周方向の両側の側面２１ａは、半径ｒ１の円弧形状に形成されている。第１係合凹部６１の周方向の両側の側面６１ａは、第１係合凸部２１の側面２１ａの曲率（第１変化率）よりも小さな曲率（第２変化率）の半径ｒ２の円弧形状に形成されている。
【００４８】
図１２は、第２係合凸部２２が第２係合凹部６２に挿入された状態を径方向内側から視た図である。図１２に示されるように、第２係合凸部２２の−Ｚ側への最大突出量ｈ２は、第２係合凹部６２のＺ方向の最大窪み量Ｄ２と略同一である。また、第２係合凸部２２の−Ｚ側への最大突出量ｈ２は、第１係合凸部２１の−Ｚ側への最大突出量ｈ１と同一である。第２係合凸部２２の周方向の両側の側面２２ａは、半径ｒ３の円弧形状に形成されている。側面２２ａの曲率は、側面２１ａの曲率と同一であり、側面２２ａの半径ｒ３は、側面２１ａの半径ｒ１と同一である。第２係合凹部６２の周方向の両側の側面６２ａは、第１係合凹部６１の側面６１ａの半径ｒ２と同一の曲率の半径ｒ４の円弧形状に形成されている。つまり、側面６２ａの半径ｒ４は、側面６１ａの半径ｒ２と同一である。
【００４９】
周方向に関して、第１係合凸部２１の最大長さＬ１と第１係合凹部６１の最大長さＬ２との差は、第２係合凸部２２の最大長さＬ３と第２係合凹部６２の最大長さＬ４との差と同一に設定されている。上記の差が同一であることにより、第１係合凸部２１が口部３の上面から第１係合凹部６１に挿入されるまでの軌跡と、第２係合凸部２２が口部３の上面から第２係合凹部６２に挿入されるまでの軌跡とを同一にできる。
【００５０】
また、第１係合凸部２１における両側の側面２１ａの下端同士を接続する平面２１ｂの周方向の長さと、第１係合凹部６１における両側の側面６１ａの下端同士を接続する平面６１ｂの周方向の長さとは同一である。また、第２係合凸部２２における両側の側面２２ａの下端同士は、第２係合凸部２２の周方向中央部で接続され、第２係合凹部６２における両側の側面６２ａの下端同士は、第２係合凹部６２の周方向中央部で接続されている。
【００５１】
従って、図１１に示すように、第１係合凸部２１が第１係合凹部６１に挿入されて周方向の位置が規制され、図１２に示すように、第２係合凸部２２が第２係合凹部６２に挿入されて周方向の位置が規制された状態から中栓６を周方向に移動（回転）させた場合に、第１係合凹部６１に案内されて第１係合凸部２１が上方へ向かう軌跡と、第２係合凹部６２に案内されて第２係合凸部２２が上方へ向かう軌跡とを同一にできる。
【００５２】
また、周方向に関して、第１係合凸部２１の最大長さＬ１は、第２係合凹部６２の最大長さＬ４よりも長い。従って、第１係合凸部２１は、第２係合凹部６２に対して挿入不能であり、第１係合凹部６１に対してのみ挿入可能である。
【００５３】
次に、上記構成の計量キャップ付き容器１において、中栓６を口部３（容器本体）に対して脱着する手順について、図４、図１１乃至図１４を参照して説明する。
図４に示されるように、指掛け部１１、１２は、雄ねじ部３ａを延長した領域内に配置された状態でフランジ部３２から径方向外側に突出している。
【００５４】
また、筒状部３１から径方向外側突出する第１係合凸部２１が第１係合凹部６１に挿入され、筒状部３１から径方向外側突出する第２係合凸部２２が第２係合凹部６２に挿入され、図１１及び図１２に示したように、それぞれ周方向の移動が規制されることにより、中栓６は、容器本体２に対して周方向に位置決めされている。
【００５５】
このように、周方向に位置決めされた状態で中栓６が口部３に装着された容器本体２に対して、図１に示した初期状態から、雌ねじ部４２ａが雄ねじ部３ａと螺合した計量キャップ４を左回転させながら上方に引き上げる。計量キャップ４の回転が進み計量キャップ４が上方へ移動すると、雌ねじ部４２ａと雄ねじ部３ａとの螺合が解除される。このとき、雌ねじ部４２ａは、指掛け部１１、１２のみと螺合している。
【００５６】
さらに、計量キャップ４の回転が進むと、雌ねじ部４２ａと指掛け部１１、１２との螺合が解除される。指掛け部１１、１２は、雄ねじ部３ａの延長領域５１ａ、５２ａに配置されているため、計量キャップ４を容器本体２に対して円滑に取り外すことができる。
【００５７】
容器本体２から計量キャップ４が取り外され中栓６が露出すると、中栓６の指掛け部１１、１２に手指を掛けて中栓６を周方向に回転させる。回転方向としては、左回転または右回転のどちらでもよい。中栓６が、例えば、右回転して周方向に移動すると、中栓６の移動に伴って第１係合凸部２１の側面２１ａが第１係合凹部６１の側面６１ａに沿って移動して上側に向けて案内されるとともに、第２係合凸部２２の側面２２ａが第２係合凹部６２の側面６２ａに沿って移動して上側に向けて案内される。これら第１係合凸部２１及び第２係合凸部２２の移動は同じタイミング、且つ、同一軌跡で行われる。
【００５８】
これにより、図１３及び図１４に示すように、中栓６は、口部３に対して上側（＋Ｚ側）に移動する。このように、中栓６が周方向への移動に伴って上側に移動すると、指掛け部１１、１２を摘んでいる手指を上方へ移動させることにより、中栓６を口部３（容器本体２）から取り外すことができる。
【００５９】
指掛け部１１、１２は、軸線Ｃを挟んだ１８０°間隔で配置されているため、中栓６が傾くことなくバランスがとれた状態で取り外すことができる。また、指掛け部１１、１２は、中栓６のフランジ部３２から径方向外側に突出して設けられているため、指掛け部１１、１２に掛けている手指に内容物が手に付着することなく中栓６を口部３から離脱させることが可能である。
【００６０】
中栓６が取り外され口部３が開口すると、例えば、詰め替え容器から口部３を介して容器本体２内へ内容物を補充することが可能になる。口部３の開口は、ノズル３４及び連通部３６に対して大径であるため、内容物の補充は容易、且つ、迅速に実施することができる。
【００６１】
次に、取り外された中栓６を容器本体２に装着する手順について説明する。
手指で指掛け部１１、１２を摘んだ中栓６を、底壁部３３から口部３の開口部に挿入するとともに、第１係合凸部２１、第２係合凸部２２を第１係合凹部６１、第２係合凹部６２にそれぞれ挿入する。このとき、指掛け部１１の周方向の位置は第１係合凸部２１と同一であり、指掛け部１２の周方向の位置は第２係合凸部２２と同一であるため、手指及び指掛け部１１、１２の位置を指標として、第１係合凹部６１、第２係合凹部６２への第１係合凸部２１、第２係合凸部２２の挿入を容易に行うことができる。
【００６２】
また、周方向に関して、第１係合凸部２１の最大長さＬ１が、第２係合凹部６２の最大長さＬ４よりも長く、第１係合凸部２１が第２係合凹部６２に挿入不能であるため、第１係合凸部２１が第２係合凹部６２に挿入され、第２係合凸部２２が第１係合凹部６１に挿入される誤組を回避できる。
【００６３】
なお、第１係合凸部２１を第１係合凹部６１に挿入し、第２係合凸部２２を第２係合凹部６２に挿入する際には、図１３及び図１４に示したように、第１係合凸部２１及び第２係合凸部２２に対して周方向の位置がずれて口部３の上面から第１係合凹部６１の側面６１ａ及び第２係合凹部６２の側面６２ａを摺動させる場合があることが想定される。
【００６４】
この場合、第１係合凸部２１の最大長さＬ１と第１係合凹部６１の最大長さＬ２との差が、第２係合凸部２２の最大長さＬ３と第２係合凹部６２の最大長さＬ４との差と同一であり、また、第１係合凸部２１における側面２１ａの半径ｒ１と、第２係合凸部２２における側面２２ａの半径ｒ３とが同一であり、さらに、第１係合凹部６１における側面６１ａの半径ｒ２と、第２係合凹部６２における側面６２ａの半径ｒ４とが同一であるため、第１係合凸部２１による口部３の上面から図１１に示した第１係合凹部６１の所定位置までの移動と、第２係合凸部２２による口部３の上面から図１２に示した第２係合凹部６２の所定位置までの移動とは、同一のタイミング及び同一の移動軌跡で行われる。そのため、移動のタイミング及び移動軌跡の少なくとも一方が異なった場合に、中栓６が傾いて口部３への挿入に支障を来す等の不具合が生じることを防ぐことができる。
【００６５】
第１係合凸部２１を第１係合凹部６１に挿入し、第２係合凸部２２を第２係合凹部６２に挿入すると、指掛け部１１、１２を介して中栓６を下方に押し込み嵌合部３７を口部３の内周面３ｂに嵌合させる。これにより、中栓６は、容器本体２（口部３）に装着される。
【００６６】
中栓６が容器本体２（口部３）に装着されると、計量キャップ４を右回転して計量キャップ４における雌ねじ部４２ａと指掛け部１１、１２とを螺合させる。計量キャップ４の回転が進み計量キャップ４が下方へ移動すると、雌ねじ部４２ａが口部３の雄ねじ部３ａと螺合する。このとき、計量キャップ４は、雄ねじ部３ａの延長領域５１ａ、５２ａに配置された指掛け部１１、１２に螺合した状態で回転するため、雌ねじ部４２ａは円滑に雄ねじ部３ａと螺合する。そして、さらに計量キャップ４を回転して上方から容器本体２（口部３）に係合させることにより図１に示した初期状態とすることができる。
【００６７】
以上説明したように、本実施形態の計量キャップ付き容器１では、中栓６におけるフランジ部３２の径方向外側に、指掛け部１１、１２が設けられており、口部３に対する中栓６の周方向の移動に伴って、中栓６の第１係合凸部２１及び第２係合凸部２２が側面６１ａ及び側面６２ａによって上側に向けて案内されるため、手指に内容物が付着することなく中栓６を上側に移動させて取り外すことが容易になる。
【００６８】
また、本実施形態の計量キャップ付き容器１では、指掛け部１１、１２が雄ねじ部３ａの延長領域５１ａ、５２ａの外部に突出せず内部に配置されているため、指掛け部１１、１２がフランジ部３２の径方向外側に突出していても、容器本体２に対する計量キャップ４の取り付け・取り外しに支障を来すことを回避できる。
【００６９】
また、本実施形態の計量キャップ付き容器１では、雄ねじ部３ａが多条ねじで形成されているため、複数の指掛け部１１、１２を設けることが可能になっている。そのため、本実施形態の計量キャップ付き容器１では、指掛け部１１、１２を周方向に等間隔で複数配置可能となり、指掛け部１１、１２を介して中栓６にバランス良く偶力を付与しやすくなる。
【００７０】
また、本実施形態の計量キャップ付き容器１では、中栓６に設けられた第１係合凸部２１及び第２係合凸部２２が、口部３に設けられた第１係合凹部６１及び第２係合凹部６２にそれぞれ挿入されることにより、容器本体２に対して中栓６を周方向に容易に位置決めすることができ、例えば、ノズル部３４の開口が周方向の所定位置とは異なる位置に配置されることを防止できる。さらに、本実施形態の計量キャップ付き容器１では、周方向に関して、第１係合凸部２１の最大長さＬ１が第２係合凹部６２の最大長さＬ４よりも長いため、第１係合凸部２１が第２係合凹部６２に挿入されない。そのため、本実施形態では、第１係合凸部２１が第２係合凹部６２に挿入され、第２係合凸部２２が第１係合凹部６１に挿入される誤組を回避できる。
【００７１】
加えて、本実施形態の計量キャップ付き容器１では、第１係合凸部２１の最大長さＬ１と第１係合凹部６１の最大長さＬ２との差が、第２係合凸部２２の最大長さＬ３と第２係合凹部６２の最大長さＬ４との差と同一であり、また、第１係合凸部２１における側面２１ａの半径ｒ１と、第２係合凸部２２における側面２２ａの半径ｒ３とが同一であり、さらに、第１係合凹部６１における側面６１ａの半径ｒ２と、第２係合凹部６２における側面６２ａの半径ｒ４とが同一である。そのため、中栓６の取り外し時には、中栓６を周方向に移動（回転）させた場合に、第１係合凹部６１に案内されて第１係合凸部２１が上方へ向かう軌跡と、第２係合凹部６２に案内されて第２係合凸部２２が上方へ向かう軌跡とを同一にできる。また、中栓６の取り付け時には、第１係合凸部２１による口部３の上面から第１係合凹部６１の所定位置までの移動と、第２係合凸部２２による口部３の上面から第２係合凹部６２の所定位置までの移動とを、同一のタイミング及び同一の移動軌跡とすることができる。
【００７２】
そのため、本実施形態の計量キャップ付き容器１では、中栓６の取り外し、取り付けの双方で中栓６のＺ方向の移動時に中栓６が傾く等の不具合が生じることを防ぐことができる。また、本実施形態の計量キャップ付き容器１では、第１係合凹部６１の側面６１ａ及び第２係合凹部６２の側面６２ａについて、曲率中心が上側に配置された円弧形状に形成されているため、第１係合凸部２１及び第２係合凸部２２をそれぞれ滑らかに案内することができる。
【００７３】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００７４】
例えば、上記実施形態では、中栓６に第１係合凸部２１及び第２係合凸部２２を設け、口部３に第１係合凹部６１及び第２係合凹部６２を設ける構成を例示したが、この構成に限定されない。例えば、係合凸部（第１係合凸部及び第２係合凸部）を口部３に設け、係合凹部（第１係合凹部及び第２係合凹部）を中栓６に設ける構成であってもよい。
この構成を採る場合、筒状部３１の厚さが係合凹部において薄くなるため、係合凹部を配置した領域において筒状部３１の径方向内側の内部空間に突出する凸部を設けることが好ましい。この場合、中栓６における内容物の受け空間が凸部によって減少するため、上述したように、中栓６に第１係合凸部２１及び第２係合凸部２２を設け、口部３に第１係合凹部６１及び第２係合凹部６２を設ける構成を採ることが好ましい。
【００７５】
また、上記実施形態では、雄ねじ部３ａが２条ねじで形成され、指掛け部が２箇所配置される構成を例示したが、指掛け部の数に応じて３条以上の多条ねじで形成される構成であってもよい。雄ねじ部３ａの条数は、指掛け部の数以上であればよい。雄ねじ部３ａの条数が指掛け部の数よりも多い場合には、雄ねじ部３ａの条数が指掛け部の数の整数倍であれば、周方向に等間隔で指掛け部を配置することができ、中栓６にバランスよく偶力を付与して回転させる点から好ましい。
【００７６】
また、上記実施形態では、指掛け部１１、１２が周方向に延びる構成を例示したが、この構成に限定されず、延長領域５１ａ、５２ａの内部に配置されていれば他の形状であってもよい。指掛け部１１、１２としては、例えば、雄ねじ部３ａのリード角で傾斜している構成であってもよい。この場合、指掛け部１１、１２を長くすることができ、中栓６に力を掛けやすくなる。また、指掛け部１１、１２の形状としては、雄ねじ部３ａの延長流域５１ａ、５２ａの内部に配置されていれば、柱状、筒状等、他の形状であってもよい。
【００７７】
また、上記実施形態では、第１係合凸部２１の側面２１ａ、第２係合凸部２２の側面２２ａ、第１係合凹部６１の側面６１ａ及び第２係合凹部６２の側面６２ａを径方向視で円弧形状である構成を例示したが、この構成に限定されず、例えば、第１係合凸部２１の側面２１ａ及び第２係合凸部２２の側面２２ａが、下方に向かうに従って、一定の割合（第１変化率、第１勾配）で周方向の中央に向かって傾斜する平面状の傾斜面で形成され、第１係合凹部６１の側面６１ａ及び第２係合凹部６２の側面６２ａが、下方に向かうに従って、側面２１ａ及び側面２２ａの第１勾配よりも小さな変化率（第２変化率、第２勾配）で周方向の中央に向かって傾斜する平面状の傾斜面で形成される構成であってもよい。この構成を採った場合にも誤組を回避するために、第１係合凸部２１の周方向の最大幅は、第２係合凹部６２の周方向の最大幅よりも大きいことが好ましい。
【符号の説明】
【００７８】
１…計量キャップ付き容器（容器）、  ２…容器本体、  ３…口部、  ３ａ…雄ねじ部、  ３ｂ…内周面、  ４…計量キャップ（キャップ）、  ６…中栓、  １１、１２…指掛け部、  ２０…第１係合部、  ２１…第１係合凸部、  ２１ａ、２２ａ…側面、  ２２…第２係合凸部、  ３１…筒状部、  ３２…フランジ部、  ４２ａ…雌ねじ部、  ５１ａ、５２ａ…延長領域、  ６０…第２係合部、  ６１…第１係合凹部、  ６１ａ、６２ａ…側面（案内部）、  ６２…第２係合凹部、  Ｃ…軸線（軸）
【図１】
2019151365.tif 000003
【図２】
2019151365.tif 000004
【図３】
2019151365.tif 000005
【図４】
2019151365.tif 000006
【図５】
2019151365.tif 000007
【図６】
2019151365.tif 000008
【図７】
2019151365.tif 000009
【図８】
2019151365.tif 000010
【図９】
2019151365.tif 000011
【図１０】
2019151365.tif 000012
【図１１】
2019151365.tif 000013
【図１２】
2019151365.tif 000014
【図１３】
2019151365.tif 000015
【図１４】
2019151365.tif 000016